(57)【特許請求の範囲】
【請求項１】
穿孔可能な管体から流体をサンプリングする装置であって、
前記穿孔可能な管体を受容するようにされた管体穿孔部と、クランプとを有する細長いハウジングと、
前記細長いハウジングの内部に取り付けられる針保持部と、
流体が流れるようにされた針とを備え、該針が両端方向に前記針保持部の外に延出する部分を有するように該針保持部に固定され、前記針の第１先端部が尖鋭化され、かつ、前記管体穿孔部が該針の該第１先端部に使用者の指が偶然に接触することを実質的に防止するように、該第１先端部が該管体穿孔部からはみ出すことなく管体穿孔部の内方に突出し、
前記クランプは前記穿孔可能な管体を前記管体穿孔部内に把持することにより該穿孔可能な管体を前記針の前記第１先端部に押し付けて該第１先端部が該穿孔可能な管体を穿孔するように構成したとを特徴とする装置。
【請求項２】
前記細長いハウジングが前記針の第２先端部に使用者の指が偶然に接触することを実質的に防止するように、該針の該第２先端部が該細長いハウジングからはみ出すことなく該細長いハウジングの内方に突出することを特徴とする請求項１記載の装置。
【請求項３】
前記管体穿孔部は実質的に前記管体の外周面に合せて形成された管体接触エレメントを備えることを特徴とする請求項１又は２記載の装置。
【請求項４】
前記針の前記第２先端部が丸いことを特徴とする請求項１記載の装置。
【請求項５】
前記針の前記第２先端部が尖鋭化されており、該第２先端部を覆い少なくとも前記針保持部に至る穿孔可能な弾性のある鞘が形成されていることを特徴とする請求項１記載の装置。
【請求項６】
前記針保持部が前記細長いハウジング内に取り外し可能に取り付けられることを特徴とする請求項１記載の装置。
【請求項７】
前記針が前記針保持部に接着剤で取り付けられたことを特徴とする請求項１記載の装置。
【発明の詳細な説明】
発明の分野
本発明は一般には流体サンプリング装置、特に穿孔可能な管体から流体をサンプリングする装置に関する。
発明の背景
流体はサンプリングする様々なタイプの装置が知られている。特に、当該技術分野においては種々の血液サンプリング装置が知られている。米国特許第3,877,465号、4,763,648号、4,920,970号、4,934,015号、4,981,140号、5,002,066号5,084,034号、欧州特許出願第88906129.7号及びＰＣＴ国際公開特許出願WO93/21821号に特許文献は当該技術水準を代表するものと思われる。
血液が献血者から採取された血液バッグに集められる多くの場合においては、血液を使用する前に当該血液のサンプルを検査することが要求される。一般的には、ソーセージ様の典型的に約１０ｃｍ長さの複数の管状セグメントが血液バッグに取り付けられており、血液バンクの検査所での検査において、各管状セグメントは鋏で切り開かれ、中の血液は試験管に絞り出される。この作業は極めて煩雑である。
発明の概要
本発明はかかる従来技術の不都合を解消し、穿孔可能な管体に使用される改良された使い勝手の良い流体サンプリング装置を提供することを目的とする。
本発明に好適な態様によれば、穿孔可能な管体から流体をサンプリングする装置であって、穿孔可能な管体を受容するようにされた管体穿孔部と、クランプとを有する細長いハウジングと、細長いハウジングの内部に取り付けられる針保持部と、流体が流れるようにされた針とを備え、針が両端方向に針保持部の外に延出する部分を有するように針保持部に固定され、針の第１先端部が尖鋭化され、かつ、管体穿孔部が針の第１先端部に使用者の指が偶然に接触することを実質的に防止するように、第１先端部が管体穿孔部からかみ出すことなく管体穿孔部の内方に突出し、針の第２先端部が流体サンプリングチューブと流体が流通するように接続され、クランプは穿孔可能な管体を管体穿孔部内の把持することにより穿孔可能な管体を針の第１先端部に押し付けて第１先端部が穿孔可能な管体を穿孔するように構成したことを特徴とする装置が提供される。
また、本発明の好適な態様によれば、細長いハウジングが針の第２先端部に使用者の指が偶然に接触することを実質的に防止するように、針の第２先端部が細長いハウジングからはす出すことなく細長いハウジングの内方に突出することを特徴とする。
さらに、本発明の好適な態様によれば、管体穿孔部は実質的に管体の外周面に合わせて形成された管体接触エレメントを備えることを特徴とする。
針の第２先端部が丸くてもよく。また、選択的に、本発明の他の好適な態様によれば、針の第２先端部が尖鋭化されており、第２先端部を覆い少なくとも針保持部に至る穿孔可能な弾性のある鞘が形成されていることを特徴とする。
本発明の好適な態様によれば、針保持部が細長いハウジング内に取り外し可能に取り付けられることを特徴とする。
さらに、本発明の好適な態様によれば、針が針保持部に接着剤で取り付けられたことを特徴とする。
【図面の簡単な説明】
本発明は、以下の図面を参照しながら後述する詳細な説明により理解され認識される。
図１は、本発明の好適な態様に従って構成され機能する装置であって、２つの尖端を備えた針を有し、穿孔可能な管体から流体をサンプリングする装置の一部を取り外して示す簡単な説明図である。
図２Ａ、２Ｂ及び２Ｃは、それぞれ穿孔可能な管体を穿孔する前後及びサンプリングチューブを取り付けた後の図１の装置の簡単な断面図である。
図３は、本発明の他の好適な態様に従って構成され機能する装置であって、１つの先端を備えた針を有し、穿孔可能な管体から流体をサンプリングする装置の簡単な断面図である。
実施態様の詳細な説明
ここで、本発明の好適な態様に従って構成され機能する装置であって、穿孔可能な管体１２から流体をサンプリングする装置１０を示す図１及び２Ａが参照される。
好適には装置１０は、典型的に射出成形されたプラスチックから成る細長いハウジング１４を有する。ハウジング１４は、好適には円筒状部１６とネック部１８とが肩部２０において接続されて構成される。円筒状部１６は、好適にはネック部１８より長く且つ大径であり、図１及び２Ａには示されていないサンプリングチューブを適切に取り付けられるようにされている。
ネック部１８は、好適にはその基部２２において円筒状で且つ外方に突出した管体穿孔部２４まで延出する。図１及び２Ａに示すように管体穿孔部２４は管体１２を受容する。好適には、管体穿孔部２４にクランプ２６がヒンジのように取り付けられる。クランプ２６は、好適には自身に形成された係合切欠部２６を有し、比較的肉薄のピボット３０を有する。後述するように、クランプ２６をピボット３０の周りに矢印３２の方向に折り曲げることにより、好適には管体穿孔部２４の先端部に位置するフランジ３４が係合切欠部２８と係合する。クランプ２６は、好適にはさらに管体１２の外周面に合わせて形成された管体接触エレメント３６を有する。
本発明の好適な態様によれば、細長いハウジング１４に取り外し可能に取り付けられ、別個に形成された針保持エレメント４０が備えられている。針保持エレメント４０は、内方に突出した複雑の係止タブ４２により、肩部２０に接して係止される。
針保持エレメント４０は、好適には放出成形されたプラスチックより成り、好適には先端が切り取られた円錐形状の平坦部４３を有する。同一形状でない１対の中空のオスの取付部４４及び４６が、孔が穿設された平坦部４３の中心で平坦部４３に対して垂直に突出して一体に形成されている。好適には、オスの取付部４４は下部切込み４５を有する。
従って、平坦部４３は取付部４４及び４６とともに、針４８が貫通する貫通孔を有し、針４８は表面の粗い中腹部５０と、第１先端部５２と、第２先端部５４とを有し、また、好適には中空で流体が流れるようになっている。
針４８は、好適には異なる長さの針部分が平坦部４３に対して垂直に、かつ、針保持エレメント４０から両側に突出するように、針保持部４０に摩擦力及び接着剤により固定される。
紫外線硬化型接着剤のような接着剤５６は、好適には針４８の外周面と取付部４４の最大径部分とが滑らかに続くように取付部４４の外側先端の周囲に塗布される。かかる特別の処置により、図１及び図２に示すように、穿孔可能な弾性を有する鞘５８の開端を第２先端部５４からかぶせて取付部４４に摩擦力で係止するように比較的容易にスライドさせることができる。好適には、鞘５８の開端は、より確実に固定されるため、取付部４４に形成された下部切込み４５に係止される。
図１及び２Ａの態様において、針４８の第１先端部５２及び第２先端部５４がともに尖鋭化されている。管体穿孔部２４が使用者の指に第１先端部５２が偶然に接触することを実質的に防止するように、第１先端部５２が管体穿孔部２４からはみ出すことなく管体穿孔部２４の内方に突出していることがわかる。また、細長いハウジング１４が使用者の指に第２先端部５４が偶然に接触することを実質的に防止するように、第２先端部５４が細長いハウジング１４の端部からはみ出すことなく細長いハウジング１４の内方に突出していることがわかる。
ここで、さらに図２Ｂ及び図２Ｃを参照する。上述したように、図２Ａは管体穿孔部２４に置かれ、穿孔される前の管体１２を示す。図２Ｂに示すようにクランプ２６をピボット３０の周りに矢印３２の方向に折り曲げることにより、管体接触エレメント３６が管体１２を尖鋭化された第１先端部５２に向かって押し付け、これにより第１先端部５２が管体１２を穿孔する。血液のような流体６０は針４８の中に流れ込む。図２Ｃに示すように、サンプリングチューブ６２がその中に流体６０を集めるべく第２先端部５４に押し付けられる。好適にはサンプリングチューブ６２は、サンプリングチューブ６２が針４８と係合するときに第２先端部５４により穿孔されるシール６４により密封される。
装置１０は例えば献血の際に使用すると特に有効である。かかる場合、管体１２は献血者に取り付けられた献血管であり、装置１０はサンプリングチューブ６２に血液を採取する場合に使用される。
ここで、本発明の他の好適な態様に従って構成され機能する装置であって、流体をサンプリングするための装置７０を示す図３を参照する。装置７０は、好適には上述の装置１０と実質的に同じであり、同じ構成要素には同じ番号を付している。装置７０は、針４８の第２先端部７２が丸く、鞘５８がない点で装置１０と異なる。
図３に示すように、管状セグメント７４が管体穿孔部２４に置かれる。装置７０は、好適には垂直に設置される。クランプ２６を矢印３２の方向に閉じると、セグメント７４は針４８の第１先端部５２により穿孔される。セグメント７４が手で押しつぶされてセグメント７４の中身が第２先端部７２を介して試験管７６に移送される。
装置７０は、例えば、血液バンクの検査所における血液検査に使用されると特に有効である。献血者から採血した後、容器に注入する前に、装置７０は管状セグメント７４に集められた血液を検査及び適合性チェックのため試験管７６に採取する際に使用される。
理解し易いように、本発明の種々の特徴が別々の実施態様の説明の中で記載されたが、それらはコンビネーションされて一つの実施態様とされてもよい。一方、簡潔さのため、本発明の種々の特徴が一つの実施態様の説明中に記載されたが、それらは特徴を個々の実施態様とされてもよいし、又は適切なサブコンビネーションとされてもよい。
本発明が前述した実施態様の説明中に記載され、図示されたものに限定されるものではないことは当業者によって認識されるところである。本発明の権利範囲は特許請求の範囲によってのみ定義されるものである。
【図１】
0003954652.tif 000002
【図２Ａ】
0003954652.tif 000003
【図２Ｂ】
0003954652.tif 000004
【図２Ｃ】
0003954652.tif 000005
【図３】
0003954652.tif 000006